(57)【特許請求の範囲】
【請求項１】
ランプの点灯を制御する点灯制御手段と、周囲の明るさを検出する照度センサーと、操作スイッチのオン、オフ操作を検出する操作検出部と、上記照度センサーの検出信号と上記操作検出部の検出信号とを取り込み、上記操作検出部からオン検出信号があると、上記照度センサーの検出照度が予め設定した判定値以上であるか否かを判定し、判定値以上であればランプを全点灯する制御信号を上記点灯制御手段に与え、判定値未満であると全点灯時の照度レベルよりも低く設定してある減光レベルまで所定比率で照度レベルを上昇させながらランプを調光制御する制御信号を上記点灯制御手段に与える制御部とを備え、上記減光レベルでの照度を上記判定値の照度以上とし、上記減光レベルでランプが点灯している状態で上記操作検出部からオフ検出信号が入力されて上記照度センサーが照度変化を検出する迄にオン検出信号が入力された場合には、該オン検出信号入力時の上記照度センサーの検出照度は上記減光レベルでの照度となり、上記制御部はランプを全点灯する制御信号を上記点灯制御手段に与えることを特徴とする点灯スイッチ装置。
【発明の詳細な説明】
【０００１】
【産業上の利用分野】
本発明は、廊下や、寝室、或いはトイレ等の照明ランプの点灯／消灯制御に用いる点灯スイッチ装置に関するものである。
【０００２】
【従来の技術】
従来、廊下や、寝室、或いはトイレ等のランプは壁スイッチの操作により点灯させるのが通常である。この場合周囲の明るさには無関係にランプを全点灯させていた。
【０００３】
【発明が解決しようとする課題】
ところで、周囲の照明を消した暗い状態の夜間において、トイレへ行く場合等に、ランプを点けると、周りが暗いため急に明るくなって眩しさを感じてしまうという問題があり、特に就寝後に小用でトイレに立つ場合など目からの刺激で覚醒し再度の睡眠に就きにくいという問題があった。
【０００４】
この対策としては調光装置を用いて予め照度を設定しておく方法も考えられるが、例えば周囲が明るい状態において、寝室に入る場合、トイレに入る場合にそこの照明が調光されていると、逆に暗く感じてしまうという問題があった。
【０００５】
本発明は上記問題点に鑑みて為されたもので、請求項１の発明の目的とするところは周
囲の明るさに応じてランプの点灯状態を制御して、眩しさや、暗さを感じさせることがなく、さらに周囲が暗い場合においても必要に応じてランプを全点灯させることが簡単な操作で行える点灯スイッチ装置を提供するにある。 
【０００６】
【課題を解決するための手段】
上記目的を達成するために請求項１の発明では、ランプの点灯を制御する点灯制御手段と、周囲の明るさを検出する照度センサーと、操作スイッチのオン、オフ操作を検出する操作検出部と、上記照度センサーの検出信号と上記操作検出部の検出信号とを取り込み、上記操作検出部からオン検出信号があると、上記照度センサーの検出照度が予め設定した判定値以上であるか否かを判定し、判定値以上であればランプを全点灯する制御信号を上記点灯制御手段に与え、判定値未満であると全点灯時の照度レベルよりも低く設定してある減光レベルまで所定比率で照度レベルを上昇させながらランプを調光制御する制御信号を上記点灯制御手段に与える制御部とを備え、上記減光レベルでの照度を上記判定値の照度以上とし、上記減光レベルでランプが点灯している状態で上記操作検出部からオフ検出信号が入力されて上記照度センサーが照度変化を検出する迄にオン検出信号が入力された場合には、該オン検出信号入力時の上記照度センサーの検出照度は上記減光レベルでの照度となり、上記制御部はランプを全点灯する制御信号を上記点灯制御手段に与えるものである。
【０００７】
【作用】
請求項１の発明によれば、ランプの点灯を制御する点灯制御手段と、周囲の明るさを検出する照度センサーと、操作スイッチのオン、オフ操作を検出する操作検出部と、上記照度センサーの検出信号と上記操作検出部の検出信号とを取り込み、上記操作検出部からオン検出信号があると、上記照度センサーの検出照度が予め設定した判定値以上であるか否かを判定し、判定値以上であればランプを全点灯する制御信号を上記点灯制御手段に与え、判定値未満であると全点灯時の照度レベルよりも低く設定してある減光レベルまで所定率で照度レベルを上昇させながらランプを調光制御する制御信号を上記点灯制御手段に与える制御部とを備えたので、周囲が暗い状態でランプを点灯させた場合、ランプの照度を全点灯時の照度レベルよりも低い減光レベルまで徐々に上昇させることができ、そのため眩しさを感じさせることがなく、逆に周囲の照度が判定値より以上であればランプを全点灯させることができるため、逆に暗さを感じさせない。
【０００８】
さらに、上記減光レベルでの照度を上記判定値の照度以上とし、上記減光レベルでランプが点灯している状態で上記操作検出部からオフ検出信号が入力されて上記照度センサーが照度変化を検出する迄にオン検出信号が入力された場合には、該オン検出信号入力時の上記照度センサーの検出照度は上記減光レベルでの照度となり、上記制御部はランプを全点灯する制御信号を上記点灯制御手段に与えるので、周囲が暗い状態でランプを一旦所定減光レベルまで点灯させた後、短時間で操作スイッチ部をオフ−オン操作することにより、ランプを全点灯させることができ、減光レベルでは必要とする明るさが得られない場合には大変有効な機能であり、その切換操作も操作スイッチ部の簡単な操作で行える。
【０００９】
【実施例】
以下、本発明の実施例を図面を参照して説明する。
【００１０】
図１は本発明の一実施例の全体の具体回路図を示しており、操作スイッチのオン、オフ操作を検出する操作検出部１と、周囲の照度を検出する照度センサー２と、操作検出部１の検出信号と照度センサー２の検出照度に基づいてランプＬＡの点灯を制御するための制御信号を作る主制御部３と、ランプＬＡに接続する電源をオンオフしてランプＬＡへの通電を開閉する電源開閉部４と、主制御部３からの制御信号を受けて電源開閉部４のオン、オフ期間を制御することによりランプＬＡの供給電力を制御しランプＬＡを調光する調光制御部５と、商用電源ＡＣから、上記操作検出部１、照度センサー２、主制御部３、調光制御部５、電源開閉部４に電源を供給する電源回路６とからなり、電源開閉部４と調光制御部５とで点灯制御手段を、また主制御部３が点灯制御手段を制御する制御部を構成する。
【００１１】
ここで電源開閉部４としては例えばトライアック等の位相制御素子により構成され、主制御部３からの制御信号により略全導通し、調光制御部５からの位相制御信号により所定位相で導通するようになっている。
【００１２】
主制御部３は、操作検出部１から操作スイッチのオン検出信号があると、オン検出信号が入力する前の照度センサー２の検出照度Ｌが図２（ａ）に示す判定値Ｌ１以上にあるか否かを判定し、検出照度Ｌが判定値Ｌ１以上であれば略全導通させるための制御信号Ｓ１を電源開閉部４に与え、検出照度Ｌが判定値Ｌ１未満であると調光制御させるための制御信号Ｓ２を調光制御部５に与えるようになっている。
【００１３】
調光制御部５は主制御部３から制御信号Ｓ２を受け取ると、電源開閉部４に与える位相制御信号、つまりトリガ信号の発生位相を、所定率でランプＬＡの照度を上昇させるために、刻々変化させるようになっている。
【００１４】
次に本実施例の回路の動作を説明する。
【００１５】
今操作検出部１が操作スイッチのオン操作を検出しその検出信号を主制御部３に出力すると、主制御部３は検出信号が入力する前の照度センサー２が検出していた照度Ｌが判定値Ｌ１以上にあるか否を判定し、図２（ａ）に示すように照度Ｌが判定値Ｌ１以上であれば、制御信号Ｓ１を電源開閉部４に送り電源開閉部４を全導通させる。従ってランプＬＡに供給される電力は略定格１００％となり、ランプＬＡは全点灯する。この時の照度を１００％として示したのが図２（ｂ）に示すタイミングチャートであり、その後操作スイッチがオフ操作され、操作検出部１からオフ操作信号が出力されると、主制御部３は制御信号Ｓ１をオフして、電源開閉部４をオフさせる。この電源開閉部４のオフによりランプＬＡは消灯することになる。
【００１６】
次に周囲の照度が判定値Ｌ１より低い場合に、操作検出部１からオン操作の検出信号が出力されると、主制御部３は検出信号が入力する前の照度センサー２が検出していた照度Ｌが判定値Ｌ１より低いので、制御信号Ｓ２を調光制御部５へ出力する。調光制御部５は制御信号Ｓ２を受け取ると、電源開閉部４に位相制御信号を出力する。この場合位相制御信号たるトリガ信号の発生位相を徐々に変化させる。このトリガ信号の発生位相に応じて電源開閉部４は位相制御され、ランプＬＡの供給電力を所定率で上昇させる。従ってランプＬＡの照度は図２（ｂ）に示すように所定率で上昇することになる。調光制御部５はトリガ信号の発生位相がランプＬＡの照度レベルが予め定めた減光レベルＬ０に達する位相になると以後その発生位相を保持してトリガ信号を出力する。従ってランプＬＡの照度は減光レベルＬ０に保持されることになる。つまり操作スイッチのオン操作からランプＬＡが点灯されその照度が減光レベルＬ０に達する迄の期間がフェード点灯期間Ｔ０となり、使用者に眩しさを感じさせず、目からの刺激で覚醒し再度の睡眠につきにくいというようなことが防止できる。またフェード点灯と減光点灯とにより同一室内で就寝している他の人を起こしてしまう等の心配が軽減される。
【００１７】
さてその後操作スイッチがオフ操作されて、操作検出部１からオフ操作の検出信号が出力されると主制御部３は制御信号Ｓ１をオフして、電源開閉部４をオフさせる。この電源開閉部４のオフによりランプＬＡは消灯することになる。
【００１８】
ところで本実施例では減光レベルＬ０での照度が上記判定値Ｌ１より高くなるように設定しているため、減光レベルＬ０でランプＬＡが点灯している状態で操作スイッチを短時間でオフ−オン操作すると、ランプＬＡが図２（ｂ）に示すように短時間Ｔ１消灯するが、照度センサー２が新たに照度変化を検出する迄に時間遅れがあるため、主制御部３がオン操作の検出信号が入力した時に、照度センサー２から取り込んでいる照度レベルは消灯直前の減光レベルＬ０での照度レベルとなり、そのため主制御部３は制御信号Ｓ１を電源開閉部４に出力し、電源開閉部４を全導通させる。従ってランプＬＡに供給される電力は略定格１００％となり、ランプＬＡは全点灯する。つまり必要に応じて操作スイッチの操作により減光レベルＬ０から全点灯に切り換えることができるのである。
【００１９】
【発明の効果】
請求項１の発明は、ランプの点灯を制御する点灯制御手段と、周囲の明るさを検出する照度センサーと、操作スイッチのオン、オフ操作を検出する操作検出部と、上記照度センサーの検出信号と上記操作検出部の検出信号とを取り込み、上記操作検出部からオン検出信号があると、上記照度センサーの検出照度が予め設定した判定値以上であるか否かを判定し、判定値以上であればランプを全点灯する制御信号を上記点灯制御手段に与え、判定値未満であると全点灯時の照度レベルよりも低く設定してある減光レベルまで所定率で照度レベルを上昇させながらランプを調光制御する制御信号を上記点灯制御手段に与える制御部とを備えたので、周囲が暗い状態でランプを点灯させた場合、ランプの照度を全点灯時の照度レベルよりも低い減光レベルまで徐々に上昇させることができ、そのため眩しさを感じさせることがなく、逆に周囲の照度が判定値より以上であればランプを全点灯させ
ることができるため、逆に暗さを感じさせないという効果がある。
【００２０】
さらに、上記減光レベルでの照度を上記判定値の照度以上とし、上記減光レベルでランプが点灯している状態で上記操作検出部からオフ検出信号が入力されて上記照度センサーが照度変化を検出する迄にオン検出信号が入力された場合には、該オン検出信号入力時の上記照度センサーの検出照度は上記減光レベルでの照度となり、上記制御部はランプを全点灯する制御信号を上記点灯制御手段に与えるので、周囲が暗い状態でランプを一旦所定減光レベルまで点灯させた後、短時間で操作スイッチ部をオフ−オン操作することにより、ランプを全点灯させることができ、減光レベルでは必要とする明るさが得られない場合には大変有効な機能であり、その切換操作も操作スイッチ部の簡単な操作で行えるという効果がある。
【図面の簡単な説明】
【図１】  本発明の一実施例の回路構成図である。
【図２】  同上の動作説明用タイミングチャートである。
【符号の説明】
１  操作検出部
２  照度センサー
３  主制御部
４  電源開閉部
５  調光制御部
６  電源回路
ＬＡ  ランプ
ＡＣ  商用電源
Ｓ１，Ｓ２  制御信号
【図１】
0003739832.tif 000002
【図２】
0003739832.tif 000003